(57)【要約】【課題】着色した吸水性の基材を用いる装飾体キットにおいて、吸水性の基材の末端に析出する結晶の色が濃い装飾体になる装飾体キットを提供する。【解決手段】水溶性染料で着色された吸水性の基材と、結晶性無機塩を溶解した水溶液と、前記基材の基端部を設置可能で、前記水溶液を満たすようになされた容器とからなり、前記水溶液がさらに水溶性ポリオキシアルキレン化合物を含むことを特徴とする装飾体用キットであり、これを用いれば析出する結晶の色が濃い装飾体となる。【選択図】図１
2017081022.tif 000002
【特許請求の範囲】
【請求項１】
水溶性染料で着色された吸水性の基材と、結晶性無機塩を溶解した水溶液と、前記基材の基端部を設置可能で、前記水溶液を満たすようになされた容器とからなり、前記水溶液がさらに水溶性ポリオキシアルキレン化合物を含むことを特徴とする装飾体用キット。
【請求項２】
前記水溶性ポリオキシアルキレン化合物がポリエチレングリコールであることを特徴とする請求項１記載の装飾体用キット。
【請求項３】
請求項１または２記載の装飾体用キットが組み立てられ、基材の末端に着色した結晶性無機塩の結晶が析出してなる装飾体。
【発明の詳細な説明】
【技術分野】
【０００１】
本発明は、本発明は、化学品を用いて室内で飾るように設計された装飾体用キットおよびその装飾体に関する。
【背景技術】
【０００２】
室内において、吸水性基材の末端に結晶性無機塩の結晶を析出させ、桜やクリスマスツリーに見立てて装飾用として用いる装飾体は公知である（たとえば、特許文献１〜３）。装飾体は、結晶性無機塩の水溶液に吸水性基材の基端部を浸して水を吸い上げて基材の上部の末端に無機塩の結晶を析出させたものである。最近では、析出する結晶に赤青などの色を付与するために吸水性基材を絵の具などの水溶性着色剤で着色しておくことが提案されている（特許文献４）。
【先行技術文献】
【特許文献】
【０００３】
【特許文献１】特公昭６１−１４９６０号公報
【特許文献２】特開平７−３２９４９６号公報
【特許文献３】特開平８−２１９４号公報
【特許文献４】実開昭５５−１７４３９６号公報
【発明の概要】
【発明が解決しようとする課題】
【０００４】
しかしながら、上記の水溶液中の無機塩の結晶濃度が高いと塩析現象によって吸水性の基材中に含まれる水溶性染料が水溶液中へ溶解しにくい。そうすると、水溶液中の染料濃度が小さくなり、水の蒸発と共に析出する結晶中の染料の量も減ってきて、結晶の色が薄くなる。析出する結晶の着色が濃い装飾体が求められている。
【０００５】
本発明は、着色した吸水性の基材を用いる装飾体キットにおいて、吸水性の基材の末端に析出する結晶の色が濃い装飾体になる装飾体キットを提供することを目的とする。
【課題を解決するための手段】
【０００６】
発明者は、鋭意検討した結果、結晶性無機塩を溶解した水溶液中に水溶性ポリオキシアルキレン化合物を添加すると吸水性の基材の末端へ析出する結晶の色が濃くなることを見出し本発明に至った。
すなわち、本発明は、水溶性染料で着色された吸水性の基材と、結晶性無機塩を溶解した水溶液（以下、単に水溶液という場合がある）と、前記基材の基端部を設置可能で、前記水溶液を満たすようになされた容器とからなり、前記水溶液がさらに水溶性ポリオキシアルキレン化合物を含むことを特徴とする装飾体用キットである。
【０００７】
さらに本発明は、前記水溶性ポリオキシアルキレン化合物がポリエチレングリコールであることを特徴とする。
さらに本発明は、上記の装飾体用キットが組み立てられ、基材の末端に着色した結晶性無機塩の結晶が析出してなる装飾体である。
【発明の効果】
【０００８】
本発明の装飾体キットを用いれば、吸水性の基材の末端へ析出する結晶の色がより濃く、より鮮やかな装飾体となる。
【図面の簡単な説明】
【０００９】
【図１】本発明の一実施形態である装飾体キットを組み立てたときの斜視図である。
【図２】赤色装飾体セットに析出した結晶の水溶液の場合における、スクリューバイアル瓶の上からみたときの色の濃さを比較する写真である。
【図３】青色装飾体セットに析出した結晶の水溶液の場合における、スクリューバイアル瓶の上からみたときの色の濃さを比較する写真である。
【発明を実施するための形態】
【００１０】
以下、本発明の実施の形態につき、詳細に説明する。なお、本発明は、以下の実施の形態に限定されるものではない。本発明と同一および均等の範囲内において、以下の実施の形態に対して種々の変更を加えることが可能である。
【００１１】
吸水性の基材としては、水を吸い上げて基材の上部の末端に結晶性無機塩の結晶が析出するものであって、水溶性染料で着色できれば特に限定はないが、材質としては、たとえば、濾紙やコースター原紙などの吸水紙素材、親水性の布や糸などからなる素材、セルロース素材などを使用することができる。基材の形状は特に限定はないが、結晶の析出面から樹木状が好ましい。また、基材の基端部が容器に設置されるように基材の一部に切り込みを入れて２枚の基材を組み合わせることができるようにしたものが立体状となるので好ましい。このような切り込みや形状などのついては、特開平７−３２９４９６号公報、特開平８−２１９４号公報に記載されているものが使用できる。
また、大きさ、厚みについては、水溶液を吸い上げ結晶が十分析出すれば特に限定はない。
【００１２】
本発明における吸水性の基材は水溶性染料で着色される。水溶性染料で着色された吸水性の基材を水溶液に浸すと、媒体である水が基材中の水溶性染料を水溶液中に溶かし出すと共に、毛管現象により先端に移動し水溶液中に溶解している無機塩や水溶性染料が結晶として析出してくる。その結果、析出した結晶が着色する。
【００１３】
使用できる水溶性染料としては、たとえば、食用色素、酸性染料、塩基性染料、直接染料、酸性媒染染料、反応染料から選ばれる少なくとも一種類であることが好ましい。食用色素としては、たとえば、食用赤色２号、食用赤色３号、食用赤色１０２号、食用赤色１０３号、食用赤色１０４号、食用青色１号、食用青色２号などが挙げられる。酸性染料としては、たとえば、カヤノールレッドＮＢＲ、ブリリアントスカーレット ３Ｂ、アシッドファストオレンジ ＳＧ、アマランス、アシッドローダミン Ｂ、エオシン Ｇ、アシッドミリングレッド ＲＳ、インジゴカルミンブルー Ｇなどが挙げられる。塩基性染料としては、たとえば、カチオンレッド ６Ｂ、カチオンピンク ＦＧ、クリスタルバイオレット、メチレンブルー Ｂが挙げられる。直接染料としては、たとえば、カヤノールライトレッドＦ５Ｂ、ダイレクトファストスカーレット ４ＢＳ、べンゾパープリン ４Ｂ、ダイレクトファストオレンジＳ、ダイレクトロージュリンレッド Ｂ、クロランチファストレッド ６ＢＬＬ、シリアススプラレッドバイオレット ＲＬ、ダイレクトスカイブルー ５Ｂなどが挙げられる。酸性媒染染料としては、たとえば、クロムオレンジ Ａ、クロムオレンジ ＧＲ、クロムレッド Ｂ、クロムブリリアントバイオレット Ｒなどが挙げられる。反応染料としては、たとえば、リアクトンレッド ２Ｂ−Ｆ、プロシオンルビン ＢＳ、シバクロンバイオレット Ｆ２Ｒ−Ａ、プロシオンブリリアントブルー ＲＳなどが挙げられる。これらの水溶性染料は単独または複数が配合されてもよい。
【００１４】
着色の方法は、紙や繊維を着色できれば特に限定はなく、従来公知の着色方法や染色方法が適用できる。最も簡単なのは水溶性染料の水溶液に浸漬して乾燥する方法である。着色された吸水性の基材中の水溶性染料の量も限定はなく、結晶の色の濃さ、経済性の観点から決められる
【００１５】
本発明の水溶液に含まれる結晶性無機塩としては、リン酸一カリウム、リン酸一アンモニウム、リン酸一カルシウム、および硝酸アンモニウムなどが挙げられるが、一種または二種以上を使用することができる。好ましいのはリン酸一カリウムである。水溶液には、さらに塩化ナトリウム、塩化カリウム、塩化カルシウム、塩化アンモニウムなどを必要に応じ添加して結晶の状態を調整してもよい。
【００１６】
本発明の水溶液には、さらに水溶性ポリオキシアルキレン化合物が必須に添加される。水溶性ポリオキシアルキレン化合物としては、たとえば、ポリエチレングリコール（ｎ＝２〜１００）およびその誘導体；グリセリン、トリメチロールプロパンなどの多価アルコールのエチレンオキシド（以下ＥＯという）単独付加物、同様の多価アルコールにプロピレンオキシド（以下ＰＯという）についでＥＯを付加した化合物（ＥＯ含有重量８０％）およびこれらの２種以上の混合物があげられる。これらのうち、好ましいものはポリエチレングリコールである。
【００１７】
具体的には、ポリエチレングリコール（ｎ＝２〜１００）としては、たとえば、ジエチレングリコール、トリエチレングリコール、ポリエチレングリコール（ｎ＝４〜１００）が挙げられる。ポリエチレングリコールの誘導体としては、たとえば、トリエチレングリコールモノメチルエーテル、トリエチレングリコールジメチルエーテル、ポリエチレングリコールジメチルエーテル、ポリエチレングリコールモノメチルエーテル、ポリオキシエチレンノニルフェニルエーテル、ポリオキシエチレンオキシプロピレングリコール（ＥＯ含有重量８０％）など；ポリエチレングリコール（ｎ＝２〜１００）の末端水酸基を反応させて得られた生成物でエステル基、アミン基、アセタール基などからなる群のうちから少なくとも１種選ばれた官能基を含有したポリエチレングリコールの誘導体が挙げられる。
【００１８】
水溶性ポリオキシアルキレン化合物を添加することによって、析出する結晶中の染料濃度が上がり結晶の色が濃くなる。
色が濃くなる理由としては。以下のことが推定できる。水溶性ポリオキシアルキレン化合物は、水溶性染料を溶解する媒体であるので、無機塩による塩析現象により基材中の水溶性染料が水溶液中に溶解しにくくなるが、水溶性ポリオキシアルキレン化合物を水溶液に添加することによって塩析現象を緩和して、水溶性染料が水溶液中の水溶性ポリオキシアルキレン化合物に溶解し水溶液中における水溶性染料の量が増える。そして、水の蒸発と共に基材の末端に結晶が析出するが、その結晶中に存在する水溶性染料の量も増え、結晶の色が濃くなる。
また、水溶性ポリオキシアルキレン化合物は水溶性染料を溶解するが、当然染料の種類によって溶解性が相違する。複数の染料や着色不純物などが着色された基材中に存在すると、水溶性ポリオキシアルキレン化合物へのそれらの溶解性が相違するため、水溶性ポリオキシアルキレン化合物を用いない場合に比較して、色目が相違してくる場合がある。特に不純物が水溶性ポリオキシアルキレン化合物に溶解しにくいと不純物が水溶液中に出にくくなり、その結果結晶の着色がシャープになり鮮やかになる。後記する実施例においては色が鮮やかになることを確認した。
【００１９】
水溶液における結晶性無機塩の量は、飽和濃度範囲内で使用されるが、水溶液中の結晶性無機塩の濃度が該結晶性無機塩の飽和濃度の７０％以上９６％以下であるのが好ましい。より好ましくは８０％以上９０％以下である。７０％以上であれば、基材の末端に十分に結晶が析出することができる。９６％以下であれば、０℃に近い低温状態でも水溶液中で結晶が析出しにくい。たとえば、リン酸一カリウムの飽和濃度は２２ｇ／１００ｍＬ（２５℃）であるので、１５．４ｇ／１００ｍＬ以上２１．１ｇ／１００ｍＬ以下が好ましい。本発明における飽和濃度とは２５℃における値をいうものとする。
種類の異なる結晶性無機塩を混合する場合は、主たる結晶性無機塩の濃度が上記範囲にあるのが好ましい。
【００２０】
水溶液における水溶性ポリオキシアルキレン化合物の量は、特に限定はないが、水溶液全体の重量に対して１重量％以上、１５重量％以下が好ましい。１重量％以上であると、末端に析出する結晶の色を濃くすることができ、１５重量％以下であると、経済的である。より好ましくは２重量％以上、１０重量％以下である。
【００２１】
また、水溶液中には、無機酸および／または有機酸を添加してもよい。無機酸および／または有機酸は、水溶性であれば限定はないが、たとえば、無機酸としては、塩酸、硝酸、硫酸、燐酸、ホウ酸などが挙げられる。有機酸としては、たとえば、蟻酸、酢酸、コハク酸、クエン酸、酒石酸などが挙げられる。好ましいのは無機酸である。
【００２２】
無機酸および／または有機酸（以下、単に酸という場合がある ）の量は、結晶性無機塩１モルに対して０．５モル以上５．０モル以下が好ましい。より好ましくは、０．８モル以上４．０モル以下である。０．５モル以上であれば、基材の末端への結晶性無機塩の結晶析出の速度が早くおよびその析出量が多い、５．０モル以下であれば経済的である。
酸はそのまま水溶液中に添加してもよいが、５〜２０倍程度に希釈したものを添加してもよい。好ましいのは正確性の点で後者である。
【００２３】
該水溶液には香料を配合してもよい。香料としては、たとえば、ゲラニオール、シトラール、テルピネオール、ｌ−メントール、リナロール、リモネンなどを使用することができる。これらを水に乳化分散して水溶液に含ませることができる。
【００２４】
容器は、底に水溶液を満たす空間が形成されており、吸水性の基材を安定した状態で支承するような構造であればよい。基材を支承するような構造としては、たとえば、基材を差し込むための底の十字状の切込などが挙げられる。なお、容器の底の形状としては、特に正方形などの矩形状の板に限定されるものではなく、円状、楕円状などであってもよい。容器の材質は水溶液を安定に保持できれば限定はなく、プラスチック製、ガラス製、ステンレス製などが挙げられる。容器の大きさ、水溶液を満たす空間の深さなどは基材の大きさや水溶液の量などによって決めればよい。
【００２５】
本発明の装飾体キットは、上記の吸水性の基材、結晶性無機塩や水溶性ポリオキシアルキレン化合物を含有する水溶液および容器からなる。図１は本発明の一実施形態である装飾体キットを組み立てたときの斜視図である。
【００２６】
図１において、装飾体キット１は樹木の形状に切り取られた二つのコースター原紙２（たとえば、高さ１０ｃｍ、幅８ｃｍ、厚み１ｍｍ）が組み合わされて立体的に自立している。一つの紙片には上端部中央から、別の紙片には下端部中央から、それぞれ切り込み３が形成されており、それらの切り込み３が互いに嵌まり合って、立木の状態が形成されている。この基材４が容器５の底の十字状の切り込み６に差し込まれて固定されている。容器５の底には水溶液７が注がれている。
【００２７】
このように組み立てられた装飾体キットは、基材の上部の末端へ吸い上げられる水によって運ばれる結晶性無機塩の結晶が析出するが、結晶の色が濃く、しかも色も鮮やかである。
【００２８】
以下実施例により本発明をさらに説明するが、本発明はこれらに限定されるものではない
【００２９】
（実施例１）
コースター原紙（厚み０．８ｍｍ）を図１のような樹木形状（高さ１０ｃｍ、幅８ｃｍ）になるように二つに分けて切り取って、「Ｋａｙａｃｉｏｎ  Ｒｅｄ  Ｐ−４ＢＮ  ｌｉｑｕｉｄ  ２５」（反応性染料、日本化薬社製）の３重量％水溶液に室温で５時間浸漬し、取り出しそのまま５０℃で５時間乾燥して、赤色に着色した吸水性の基材Ｉを得た。この基材Ｉを二つ用いて樹木形状を形成し、図１のようにアクリル製の円形容器（半径４ｃｍ、深さ１ｃｍ）の十字状の切り込みに設置して赤色装飾体セットを形成した。この中に表１のＡの組成（水溶性ポリオキシアルキレン化合物としてＰＥＧ１０００を添加）の水溶液を注いだ。これを２５℃の室内で結晶を析出させた。２４時間後に結晶を観察した。
【００３０】
（実施例２）
実施例１において、「Ｋａｙａｃｉｏｎ  Ｒｅｄ  Ｐ−４ＢＮ  ｌｉｑｕｉｄ  ２５」（反応性染料、日本化薬社製）の３重量％水溶液に替えて、「ダイレクトスカイブルー６Ｂ」（直接染料、Ｃ．Ｉ．ダイレクトブルー１）を用いる以外は実施例１と同様にして、青色に着色した樹木形状の基材ＩＩを作成した。二つの基材ＩＩを用いて樹木形状を形成し、実施例１と同様に円形容器の十字状の切り込みに設置し青色装飾体セットを形成した。この中に表１のＢの組成（水溶性ポリオキシアルキレン化合物としてＰＥＧ６００を添加）の水溶液を注いだ。これを２５℃の室内で結晶を析出させた。２４時間後に結晶を観察した。
【００３１】
（比較例１、２）
表１のＣの組成の水溶液を赤色装飾体セット（比較例１）、青色装飾体セット（比較例２）に入れて、実施例１、２と同様にして結晶を析出させた。
【００３２】
【表１】
2017081022.tif 000003
【００３３】
ＰＥＧ１０００（三洋化成工業社製、分子量１０００のポリエチレングリコール）
ＰＥＧ６００  （三洋化成工業社製、分子量６００のポリエチレングリコール）
【００３４】
それぞれの装飾体セットにおいて、水溶液を入れてから２４時間後に基材の末端に析出した結晶をそぎ落として、それぞれの結晶の１ｇを１００ｍｌの水道水に溶解して濃度１％の結晶水溶液Ａ、Ｂ、Ｃ（赤色）、Ｃ（青色）を作成した。
【００３５】
これらの結晶水溶液をそれぞれ５０ｍｌのスクリューバイアル瓶に５０ｍｌを入れた。赤色装飾体セットに析出した結晶の結晶水溶液Ａと結晶水溶液Ｃ（赤色）を比較した。図２は、赤色装飾体セットに析出した結晶の水溶液の場合における、スクリューバイアル瓶の上からみたときの色の濃さを比較する写真である。結晶水溶液Ａの方が結晶水溶液Ｃ（赤色）よりも色が濃いことがわかる。ＰＥＧ１０００を加えたためであることが確認できる。また、図２からはわからないが、結晶水溶液Ｃ（赤色）の色は黄色がかっており、使用した染料中の不純物によるか変色が生じたことによると思われる。それに対して結晶水溶液Ａは鮮やかな赤〜ピンク色を呈している。ＰＥＧ１０００が赤色のみを選択的に溶解したとも考えられる。
【００３６】
また、赤色装飾体セットの場合と同様にして、青色装飾体セットに析出した結晶の結晶水溶液Ｂと結晶水溶液Ｃ（青色）を比較した。図３は、青色装飾体セットに析出した結晶の水溶液の場合における、スクリューバイアル瓶の上からみたときの色の濃さを比較する写真である。結晶水溶液Ｂの方が結晶水溶液Ｃ（青色）よりもかなり色が濃いことがわかる。ＰＥＧ６００を加えたためであることが確認できる。
以上のことから本発明の有効性が確認できた。
【符号の説明】
【００３７】
１  装飾体キット
２  コースター原紙
３  紙片の切り込み
４  吸水性の基材
５  容器
６  底の切り込み
７  水溶液
【図１】
2017081022.tif 000004
【図２】
2017081022.tif 000005
【図３】
2017081022.tif 000006